【手続補正書】
【提出日】平成25年11月14日(2013.11.14)
【手続補正１】
【補正対象書類名】特許請求の範囲
【補正対象項目名】全文
【補正方法】変更
【補正の内容】
【特許請求の範囲】
【請求項１】
車両を除染するための静電噴霧システムであって、
車両の内部に合うようにサイズ設定された車輪付きプラットフォームと、
１つまたは複数の除染剤を収容するように操作可能であり、前記車輪付きプラットフォームにより支持される少なくとも１つのタンクと、
前記車輪付きプラットフォームに固定された複数の静電ノズルであって、それぞれが少なくとも１つの事前に定められた方向に除染剤を送達するように位置決めされる、静電ノズルと、
除染剤が散布される際に前記除染剤に静電電荷を印加するために前記ノズルに接続された静電帯電システムと、
除染剤を加圧するために前記少なくとも１つのタンクと連通状態にある少なくとも１つの圧縮機であって、前記静電ノズルを通して前記除染剤を定量送達するのに十分な圧力を供給することが可能である、圧縮機と
を備える、静電噴霧システム。
【請求項２】
少なくとも１つの前記タンクと連通状態にある少なくとも１つの手動スプレーヤをさらに備える、請求項１に記載の静電噴霧システム。
【請求項３】
前記複数の静電ノズルの中の少なくとも１つが、前記除染剤を散布する際に、ある可動域にわたってサイクル運動するように構成される、請求項１に記載の静電噴霧システム。
【請求項４】
前記タンクの中の少なくとも１つと連通状態にある流量計をさらに備え、前記流量計は、前記タンクの中の少なくとも１つからの流量を示唆するデータを提示する、請求項１ないし３のいずれか一項に記載の静電噴霧システム。
【請求項５】
前記静電帯電システムおよび前記少なくとも１つの圧縮機の少なくとも一方に電力を供給するように作動可能な電源をさらに備える、請求項１ないし４のいずれか一項に記載の静電噴霧システム。
【請求項６】
前記タンクと前記圧縮機との間の連通経路内に圧力調整器をさらに備え、前記圧力調整器は、前記圧縮機により生成される前記タンク内の圧力を調整するように構成される、請求項１ないし５のいずれか一項に記載の静電噴霧システム。
【請求項７】
前記システムは、航空機発電電力を使用して前記静電帯電システムおよび前記少なくとも１つの圧縮機を作動させるように構成される、請求項１ないし６のいずれか一項に記載の静電噴霧システム。
【請求項８】
前記静電ノズルは、約２ミクロン径から約４０ミクロン径の範囲の静電帯電液滴を散布するように構成される、請求項１ないし７のいずれか一項に記載の静電噴霧システム。
【請求項９】
前記車輪付きプラットフォームに作動的に連結され、前記車輪付きプラットフォームに対して動作を与えるように構成された駆動システムをさらに備える、請求項１ないし８のいずれか一項に記載の静電噴霧システム。
【請求項１０】
前記車輪付きプラットフォームに装着され、前記駆動システムに通信結合されるセンサシステムをさらに備え、前記駆動システムは、前記センサシステムから受容した信号を使用して所定の経路に沿って前記車輪付きプラットフォームを誘導するようにプログラミングされる、請求項９に記載の静電噴霧システム。
【請求項１１】
航空機キャビン内に除染剤を散布するための方法であって、
ローリングカート内に位置決めされたタンクから航空機キャビン内の１つまたは複数の所定の区域に除染剤を散布するステップと、
航空機内の所定の経路に沿ってローリングカートを移動させるステップと、
ローリングカートに装着された複数の静電帯電ノズルを通してタンクからキャビンの追加的な区域に除染剤を散布するステップであって、少なくとも部分的には、航空機内の所定の経路に沿ってローリングカートが移動する際に実施される、ステップと
を含む、方法。
【手続補正２】
【補正対象書類名】明細書
【補正対象項目名】０００４
【補正方法】変更
【補正の内容】
【０００４】
一態様においては、車両を除染するための静電噴霧システムが説明される。このシステムは、車両の内部に合うようにサイズ設定された車輪付きプラットフォームと、１つまたは複数の除染剤を収容するように操作可能であり、前記車輪付きプラットフォームにより支持される少なくとも１つのタンクと、車輪付きプラットフォームに固定された複数のノズルであって、それぞれが少なくとも１つの事前に定められた方向に除染剤を送達するように位置決めされる、ノズルと、除染剤が散布される際に除染剤に静電電荷を印加するために各ノズルに接続された静電帯電システムと、除染剤を加圧するためにタンクと連通状態にある少なくとも１つの圧縮機とを備える。この１つまたは複数の圧縮機は、静電ノズルを通して除染剤を定量送達するのに十分な圧力を供給することが可能である。
有利には静電噴霧システムは、少なくとも１つの前記タンクと連通状態にある少なくとも１つの手動スプレーヤをさらに備える。
好適には静電噴霧システムは、少なくとも１つの手動静電スプレーヤを含む。
有利には前記複数の静電ノズルの中の少なくとも１つが、前記除染剤を散布する際に、ある可動域にわたってサイクル運動するように構成される。
有利には静電噴霧システムは、前記タンクの中の少なくとも１つと連通状態にある流量計をさらに備え、前記流量計は、前記タンクの中の少なくとも１つからの流量を示唆するデータを提示する。
有利には静電噴霧システムは、前記タンクの中の少なくとも１つと連通状態にある計器をさらに備え、前記計器は、前記タンクの中の少なくとも１つの中の残留除染剤を示唆するデータを提示する。
有利には静電噴霧システムは、前記静電帯電システムおよび前記少なくとも１つの圧縮機の少なくとも一方に電力を供給するように作動可能な電源をさらに備える。
有利には静電噴霧システムは、前記タンクと前記圧縮機との間の連通経路内に圧力調整器をさらに備え、前記圧力調整器は、前記圧縮機により生成される前記タンク内の圧力を調整するように構成される。
有利には前記システムは、航空機発電電力を使用して前記静電帯電システムおよび前記少なくとも１つの圧縮機を作動させるように構成される。
好適には前記車輪付きプラットフォームは、航空機給仕カートを保管するために使用可能な保管区域内に配置され得るようにサイズ設定される。
好適には前記静電ノズルは、約２ミクロン径から約４０ミクロン径の範囲の静電帯電液滴を散布するように構成される。
有利には静電噴霧システムは、前記車輪付きプラットフォームに作動的に連結され、前記車輪付きプラットフォームに対して動作を与えるように構成された駆動システムをさらに備える。
有利には前記駆動システムは、車輪付きプラットフォームの運動速度を制御するように構成される。好適には前記駆動システムは、航空機発電電力を使用するように構成される。
有利にはシステムは、前記車輪付きプラットフォームに装着され、前記駆動システムに通信結合されるセンサシステムをさらに備え、前記駆動システムは、前記センサシステムから受容した信号を使用して所定の経路に沿って前記車輪付きプラットフォームを誘導するようにプログラミングされる。
あるいは静電噴霧システムは航空機の除染のためである。
【手続補正３】
【補正対象書類名】明細書
【補正対象項目名】０００５
【補正方法】変更
【補正の内容】
【０００５】
別の態様においては、航空機キャビン内に除染剤を散布するための方法が説明される。この方法は、ローリングカート内に位置決めされたタンクから航空機キャビン内の１つまたは複数の所定の区域に静電帯電した除染剤を散布するステップと、航空機内の所定の経路に沿ってローリングカートを移動させるステップと、ローリングカートに装着された複数の静電帯電ノズルを通してタンクからキャビンの追加的な区域に静電帯電した除染剤を自動的に散布するステップであって、少なくとも部分的には、航空機内の所定の経路に沿ってローリングカートが移動する際に実施される、ステップとを含む。あるいは、前記方法は前記ローリングカート内に位置決めされたタンクから静電帯電した除染剤を航空機キャビン内の１以上の所定の区域に手動で散布するステップを含む。
有利には、ローリングカート内に位置決めされた圧縮機を使用してタンクを加圧するステップをさらに含んでもよい。
有利には、静電帯電ノズルは、除染剤を散布する際にある可動域にわたってサイクル運動されてもよい。好適には、この方法は、ローリングカートに対して制御された運動速度を与えて、航空機内の所定の経路に沿ってローリングカートを移動させるように構成された、ローリングカートに接続された駆動システムを使用するステップを含んでもよい。
【手続補正４】
【補正対象書類名】明細書
【補正対象項目名】０００６
【補正方法】変更
【補正の内容】
【０００６】
さらに別の態様においては、航空機の給仕カート保管区域内に合うようにサイズ設定された車輪付きプラットフォームと、車輪付きプラットフォーム内に取り付けられ、除染剤を収容するように操作可能なキャニスタと、車輪付きプラットフォーム内に取り付けられ、キャニスタ内の除染剤に圧力を印加するように作動可能な圧縮機と、車輪付きプラットフォームに固定され、キャニスタに流体結合された複数のノズルであって、それぞれが少なくとも１つの事前に定められた方向に除染剤を送達するように位置決めされる、静電ノズルと、除染剤がノズルから散布される際に除染剤の液滴に静電電荷を印加するために各ノズルに作動的に装着された静電帯電システムと、キャニスタに装着された手動ノズルとを備える、航空機除染システムが提示される。有利には、複数のノズルは、除染剤を散布する際にある可動域にわたりサイクル運動するように構成されてもよい。有利には航空機除染システムは、車輪付きプラットフォームに装着され、前記車輪付きプラットフォームに対して運動を与えるように構成された、駆動システムをさらに備えてもよい。